(57)【要約】【課題】定着器付近で生じた水蒸気がスイッチバック用ローラ方向へ流入するのを阻止して当該ローラにおける結露の発生を抑える。【解決手段】本発明の医療用シリンジは、接続対象物に挿入されるルアー部の保持力を高める筒状の接続補助部材を備えた医療用シリンジであって、前記接続補助部材が、ルアー部先端近傍の第１位置と前記ルアー部先端から遠い第２位置との間を移動可能な状態で前記ルアー部または本体部に摺設されてなり、前記接続補助部材が前記第２位置に移動したとき、ルアー部先端が露出することを特徴とする。【選択図】図1
2009297544.tif 000002
【特許請求の範囲】
【請求項１】
接続対象物にシリンジを接続するためのロックコネクタが備えられたロックコネクタ付き医療用シリンジであって、
ロックコネクタは、筒状のコネクタ本体を備え、
シリンジ本体は前記コネクタ本体に挿通されているとともに、シリンジ本体外周面とコネクタ本体内周面の間に弾性体が介在し、
前記弾性体の復元力によって、シリンジ本体がコネクタ本体に挟持された構成であることを特徴とするロックコネクタ付き医療用シリンジ。
【請求項２】
前記弾性体はバネ体からなることを特徴とする請求の範囲１に記載のロックコネクタ付き医療用シリンジ。
【請求項３】
前記弾性体はエラストマーからなることを特徴とする請求の範囲１に記載のロックコネクタ付き医療用シリンジ。
【請求項４】
接続対象物にシリンジを接続するためのロックコネクタが備えられたロックコネクタ付き医療用シリンジであって、
ロックコネクタは、筒状のコネクタ本体と、当該コネクタ本体の内周面に形成された突起部を有し、
シリンジ本体には、その周面において、シリンジ軸方向に合わせて形成された往復溝が備えられており、
コネクタ本体がシリンジ本体に挿通されるとともに、シリンジ本体周面の往復溝にコネクタ本体の突起部が嵌合することによって、ロックコネクタがシリンジ軸方向に沿って往復できるように保持される構成であることを特徴とするロックコネクタ付き医療用シリンジ。
【請求項５】
接続対象物にシリンジを接続するためのロックコネクタが備えられたロックコネクタ付き医療用シリンジであって、
ロックコネクタは、筒状のコネクタ本体と、当該コネクタ本体の内周面において、シリンジ軸方向に合わせて形成された往復溝を有し、
シリンジ本体には、当該コネクタ本体の外周面に突起部が備えられており、
コネクタ本体がシリンジ本体に挿通されるとともに、ロックコネクタの往復溝にシリンジ本体の突起部が嵌合することによって、ロックコネクタがシリンジ軸方向に沿って往復できるように保持される構成であることを特徴とするロックコネクタ付き医療用シリンジ。
【請求項６】
前記往復溝に連通し、且つシリンジ径方向に合わせて形成された係合溝が備えられており、突起部が係合溝に嵌合することによって、シリンジ本体とコネクタ本体が係合される構成であることを特徴とする請求の範囲４又は５に記載のロックコネクタ付き医療用シリンジ。
【発明の詳細な説明】
【技術分野】
【０００１】
本発明は、医療用シリンジに関し、特に、シリンジの汎用性を高める技術に関する。
【背景技術】
【０００２】
近年、いわゆる注射筒などの医療用シリンジは、多様なタイプのものが製造されており、例えば、特定のポートと強固に接続するためロック機構を備えたシリンジが考案されている。
より具体的には、図８（ａ）に示すようにシリンジ１５００は、薬液１５１０を収容するシリンジ本体部１５２１の端部から円筒状のルアー部１５４１が延出されており、このルアー部１５４１の略中央に設けられた段差部１５４３と前記シリンジ本体部１５２１の端部との間に円筒状のロックナット１５３０が挿嵌されており、前記シリンジ本体部１５２１の開口部には、プランジャ１５５０が挿入されてなる。
【０００３】
混注ポート１２００は、輸液ラインなどの流路となるポート本体部１２０１の側面において、上記シリンジ１５００のルアー部１５４１の挿入先となるゴム製の弁体１２０４が円筒状のカバー本体部１２０２に内接し、挟持されてなる。
また、上記カバー本体部１２０２には、上記ロックナット１５３０と螺合するネジ部１２０３が刻設されている。
【０００４】
上記シリンジ１５００を混注ポート１２００に接続しようとすれば、接続を実施する者は、ルアー部１５４１を目視できない状態で、このルアー部１５４１を上記弁体１２０４のスリットに差し込みつつ、ロックナット１５３０を締め込むこととなる。
ところで、上記ロックナット１５３０などの接続補助具を用いて、シリンジと混注ポートなどのシリンジの接続相手器具とが簡単に外れないようにするロック機構を有するものをルアーロックタイプという。
【０００５】
これに対し、シリンジとシリンジの接続相手器具とが簡単に挿抜できる構造となっているものをルアースリップタイプという。
より具体的には、ルアースリップタイプのシリンジは、例えば、ロックナット１５３０などの接続補助具がない点でルアーロックタイプのシリンジとは異なる。
また、ルアースリップタイプの混注ポートは、例えば、ロックナット１５３０に対応するネジ部などの嵌合部が設けられていない点でルアースリップタイプの混注ポートとは異なる。
【０００６】
通常、ルアーロックタイプのシリンジとルアーロックタイプの混注ポートとの組み合わせ、または、ルアースリップタイプのシリンジとルアースリップタイプの混注ポートとの組み合わせで、使用されることとなる。
【先行技術文献】
【特許文献】
【０００７】
【特許文献１】実開平６−６６６４１号公報
【発明の概要】
【発明が解決しようとする課題】
【０００８】
このような接続補助具を備えるシリンジは、図９に示すように、ロックナット１５３０がルアー部１５４１を覆い隠すため、シリンジ１５００を混注ポート１２００に接続しようとする者は、ルアー部１５４１先端を弁体１２０４の孔に挿入する際、通常の作業姿勢において、これらが見えない状態で上記挿入を実施するため、スムーズに挿入できず、挿入完了まで時間を要してしまうという問題がある。
【０００９】
ルアースリップタイプの混注ポートでは、シリンジの迅速な挿抜が想定されており、上述のようにシリンジの挿入に時間を要することは好ましくない。
さらに、医療現場では、両タイプの混注ポートが共に用いられることがあるので、図９（ａ）及び（ｂ）に示すように、ルアーロックタイプのシリンジとルアースリップタイプの混注ポートとの組み合わせで使用することも考えられる。
【００１０】
このようにルアーロックタイプのシリンジとルアースリップタイプの混注ポートとが対で使用される場合、機能的にはシリンジが混注ポートから簡単に外れるスリップタイプとして使用されることとなるが、このような組み合わせで使用することは、本来想定していない使用方法であるため、図１０（ａ）及び（ｂ）に示すように、例えば、シリンジ１５００を混注ポート１２１０に挿入しようとしたとき、混注ポート１２１０のカバー本体部１２０２とシリンジ１５００のロックナット１５３０とが干渉して、接続ができない場合もある。
【００１１】
このように、接続補助部材を備えるシリンジの汎用性における課題は、迅速で正確な対応を求められる医療現場の要求から早急に改善が望まれている。
更に、実際の医療現場において、ルアー部の接続相手の混注ポートや針体のハブ、カテーテルの端部の接続形態として、ルアスリップ式及びルアロック式の２つの接続仕様が並存していることに起因する根本的な問題がある。
【００１２】
即ち、輸液回路や、血液回路等では、カテーテル（チューブ）、混注ポート等の接続部材が一体化されているのが通常であり、これらの接続部材に対してシリンジの接続仕様が固定的であると、接続仕様が異なるもの同士では、接続できない場合が生じる。このような状況は、迅速な処置が望まれる医療現場では望ましくなく、また、操作者は、接続仕様が互いに合致しているかどうか精査するといった準備に当たって余計な手間や注意を払う必要を要す。
【００１３】
更に、昨今、安全性等の考慮して固定性に優れるルアロック式を固定仕様として原則導入する動きもでてきているが、法制化されたものではなく、依然として並存状態が続くと予測される。
本発明は、以上の課題に鑑みて為されたものであって、その目的は、シリンダの接続相手となる接続対象物におけるロック機構の有無に影響されずに、その接続対象物と不都合なく接続可能な汎用性の高いシリンジを提供することにある。ここで、接続対象物は、シリンジのルアー部を挿入して接続するものであって、主に、ポート、カテーテル端部や針基等を指す。
【課題を解決するための手段】
【００１４】
上記目的を達成するべく、本発明の医療用シリンジは、接続対象物にシリンジを接続するためのロックコネクタが備えられたロックコネクタ付きシリンジであって、ロックコネクタは、筒状のコネクタ本体を備え、シリンジ本体は前記コネクタ本体に挿通されているとともに、シリンジ本体外周面とコネクタ本体内周面の間に弾性体が介在し、前記弾性体の復元力によって、シリンジ本体がコネクタ本体に挟持された構成であることを特徴とする。
【発明の効果】
【００１５】
このような構成では、弾性体がシリンジ周面およびコネクタ本体に接触するので、弾性体の復元力によって、シリンジ本体がコネクタ本体に対して挟持されるので、コネクタ本体を接続対象物に接続すれば、シリンジ本体も接続対象物に固定することが可能である。
ここで、前記弾性部はバネ体、もしくはエラストマーから構成することができる。
また、シリンジ軸方向に沿って、操作者が外力をコネクタ本体に及ぼすことで、ロックコネクタがシリンジ本体の周面上を摺動することが可能である。これにより次の効果が得られる。
【００１６】
すなわち、前記摺動操作を、例えばロックコネクタ本体をシリンジ本体の後端にスライドするように行えば、シリンジ本体を弾性体の復元力によりロックコネクタ本体に挟持させながら、シリンジ本体の先端におけるルアー部付近を露出させることができる。これによりルアー部付近が外部に対してフリー状態となり、その先端位置を目視で良好に確認できるので、容易に直接接続型ポートへ接続したり、針基を装着したりすることが可能である。
【００１７】
また、前記摺動操作を、ロックコネクタ本体をシリンジ本体の先端（ルアー部側）にスライドするように行えば、ロックコネクタ本体を摩擦力によりシリンジ本体に対して保持させながら、ルアー部に近いシリンジ本体周面がロックコネクタ本体内部に隠れる。このような状態でロックコネクタを使用すれば、例えばロックコネクタ内に形成されたネジを利用して固定接続型の接続対象物（固定接続側ポート）へ螺合させつつ、シリンジのルアー部を当該固定接続型の接続対象物へ良好に接続することが可能である。
【００１８】
上記目的を達成するために本発明は、接続対象物にシリンジを接続するためのロックコネクタが備えられたロックコネクタ付きシリンジであって、ロックコネクタは、筒状のコネクタ本体と、当該コネクタ本体の内周面に形成された突起部を有し、シリンジ本体には、その周面において、シリンジ軸方向に合わせて形成された往復溝と、当該往復溝に連通し、且つシリンジ径方向に合わせて形成された係合溝が備えられており、コネクタ本体がシリンジ本体に挿通されるとともに、シリンジ本体周面の往復溝にコネクタ本体の突起部が嵌合することによって、ロックコネクタがシリンジ軸方向に沿って往復できるように保持されるとともに、突起部が係合溝に嵌合することによって、シリンジ本体とコネクタ本体が係合される構成とすることもできる。
【００１９】
ここで前記係合溝は、シリンジ本体の先端側における前記往復溝に連通して設けることが可能である。
上記ロックコネクタ付きシリンジによれば、操作者がコネクタ本体を操作し、突起部がシリンジ軸方向に沿って形成された往復溝内を摺動させれば、コネクタ本体はシリンジ本体に対して軸方向に往復可能となる。
【００２０】
これにより、ロックコネクタ本体をシリンジ本体の後端側にスライドさせれば、シリンジ本体の先端におけるルアー部付近を露出させることができるので、容易に直接接続型の接続対象物（ポート）へ接続したり、針基を装着したりすることが可能となる。
また、逆にロックコネクタ本体をシリンジ本体の先端側にスライドさせれば、ルアー部に近いシリンジ本体周面がロックコネクタ本体内部に隠れる。この状態でロックコネクタを使用して、例えばロックコネクタを固定接続型ポートへ螺合させつつ、シリンジのルアー部を当該固定接続型ポートへ良好に接続することができる。
【００２１】
また、操作者がロックコネクタを操作して、ロックコネクタの突起部を往復溝に合わせてずらし、これと連通する係合溝に突起部を嵌合させれば、ロックコネクタはシリンジ本体に保持されつつ、軸方向への移動が固定される。したがって、係合溝の形成された位置に合わせてロックコネクタの移動を拘束することが可能となり、ガタツキの発生を抑えて確実にロックコネクタの位置を固定することができる。
【００２２】
なお、このような係合溝をシリンジ先端方向において形成すれば、ルアー部をロックコネクタで覆いつつ、ロックコネクタとシリンジ本体とを固定できるので、ガタツキなくシリンジ本体を固定接続型ポートに接続させることが可能となり、当該接続時の安定性を確保できるといったメリットが望める。
【図面の簡単な説明】
【００２３】
【図１】（ａ）は、第１の実施形態のルアーロックタイプシリンジにおける、混注ポート挿入前の状態を説明する図であり、（ｂ）は、第１の実施形態のルアーロックタイプシリンジにおける、混注ポート挿入後状態を説明する図であり、（ｃ）は、第１の実施形態のシリンジにおけるロック後の状態を説明する図である。
【図２】（ａ）は、第１の実施形態のルアースリップタイプシリンジにおける、混注ポート挿入前の状態を説明する図であり、（ｂ）は、第１の実施形態におけるルアースリップタイプシリンジにおける混注ポート挿入後の状態を説明する図である。
【図３】（ａ）は、ロックナット部を延出部に挿入する直前の状況を示す図であり、（ｂ）は、ロックナット部を延出部に挿入する状況を示す図であり、（ｃ）は、ロックナット部を延出部に挿入した後の状況を示す図である。
【図４】ロックナット部の延出部への挿入容易性を高めるロックナット部貫通孔形状の一例を示す図である。
【図５】（ａ）は、ルアーロックタイプの混注ポート挿入前における第２の実施形態のシリンジを説明する図であり、（ｂ）は、ルアーロックタイプの混注ポート挿入後における第２の実施形態におけるシリンジを説明する図であり、（ｃ）は、ロック後における第２の実施形態におけるシリンジを説明する図である。
【図６】（ａ）は、ルアースリップタイプの混注ポート挿入前における第２の実施形態のシリンジを説明する図であり、（ｂ）は、ルアースリップタイプの混注ポート挿入後における第２の実施形態におけるシリンジを説明する図である。
【図７】シリンジのロック機構をナット以外のもので実現するものの一例を示す図である。
【図８】（ａ）は、ルアーロックタイプの混注ポート挿入前における従来のルアーロックタイプのシリンジを説明する図であり、（ｂ）は、ルアーロックタイプの混注ポート挿入後の従来のルアーロックタイプにおけるシリンジを説明する図であり、（ｃ）は、従来のルアーロックタイプにおけるロック後のシリンジを説明する図である。
【図９】（ａ）は、ルアースリップタイプの混注ポート挿入前における従来のルアーロックタイプのシリンジを説明する図であり、（ｂ）は、ルアースリップタイプの混注ポート挿入途中の従来のルアーロックタイプにおけるシリンジを説明する図であり、（ｃ）は、従来のルアーロックタイプにおけるルアースリップタイプの混注ポート挿入後のシリンジを説明する図である。
【図１０】従来のルアーロックタイプのシリンジをルアースリップタイプの混注ポートへの挿入した場合に発生する不具合の状況を説明する図である。
【図１１】（ａ）は、第３の実施形態における、ロック部装着前のシリンジを示す図であり、（ｂ）は、第３の実施形態における、ロック部装着後のシリンジをルアーロックタイプのシリンジに接続する様子を示す図である。
【図１２】第３の実施形態における、操作時のロック本体部とスライドプレートとの位置関係を示す図である。
【図１３】第３の実施形態における、ロック部装着解除後のシリンジをルアースリップタイプのシリンジに接続する様子を示す図である。
【図１４】第３の実施形態における、ロック部のスライドプレート形状の変形例を示す図である。
【図１５】第４の実施形態における、操作時のロック本体部とスライドプレートとの位置関係を示す図である。
【図１６】第５の実施形態のロックコネクタ付きシリンジの構成を示す図である。
【図１７】固定接続型ポートに接続したロックコネクタ付きシリンジの構成を示す図である。
【図１８】直接接続型ポートに接続したロックコネクタ付きシリンジの構成を示す図である。
【図１９】針基に接続したロックコネクタ付きシリンジの構成を示す図である。
【図２０】第５の実施形態のロックコネクタ付きシリンジの構成を示す図である。
【図２１】固定接続型ポートに接続した第６の実施形態のロックコネクタ付きシリンジの構成を示す図である。
【図２２】直接接続型ポートに接続した第６の実施形態のロックコネクタ付きシリンジの構成を示す図である。
【図２３】固定接続型ポートに接続した第７の実施形態のロックコネクタ付きシリンジの構成を示す図である。
【図２４】第７の実施形態のシリンジ本体の外観図である。
【図２５】直接接続型ポートに接続した第７の実施形態のロックコネクタ付きシリンジの構成を示す図である。
【図２６】従来のシリンジの構成を示す図である。
【図２７】第８の実施形態に係るシリンジの構成を示す図である。
【発明を実施するための形態】
【００２４】
本発明は、ロック接続対応のコネクタ部材をシリンジ本体に対してスライドさせたり、シリンジ本体から離脱させたりすることを可能とすることで、ルアスリップ式、ルアロック式双方の接続態様を実現するものである。スライド式としては、ルアー基部近傍において実現するものや、シリンジ筒本体部において実現するものが挙げられ、双方ともにスライド前後及びスライド時において、コネクタ部材とシリンジとの係合状態は保たれ、離脱しないので、優れた操作性が達成されている。離脱させるものとしては、所定の係合解除操作によって、コネクタ部材をシリンジから離脱させることを可能とする構造を考案している。これによれば、コネクタ部材が不要の場合に、簡便な操作でシリンジからコネクタ部材を取り外すことが可能となり、コネクタ部材が必要な場合には、簡便・迅速に取り付けることが可能となる。更に、本発明は、ロック部材をシリンジに装着した状態において、ロック部材が回動するという特徴を備えるシリンジを提供する。ガラス製のシリンジでは、このような機構のものはあったが、最近の医療現場で主流であるプラスチック製のものとしては、新規かつユニークなもので、その実用的利用価値が極めて高いものである。ロック部材が回動することで、ロック部材の固定を片手操作で簡便・迅速に行うことができる。更に、本発明は、ロック部材の装着をより簡易・迅速に行うことができるようガイド溝（ガイド部）を備えるシリンジを提供する。ルアロック仕様を選択することとした場合、ロック部材の装着をする必要があるが、ガイド溝があることによって、装着を簡易・迅速に行うことが可能となる。
以下では、本発明に係る医療用シリンジの第１から第８の各実施形態について、図面を参照しながら説明する。なお、下記各実施形態は、一例であって、発明の範囲に含まれる限度における変形・改良技術も本発明の技術思想の範囲に含まれることは言うまでもないことである。
（第１の実施形態）
図１（ａ）、（ｂ）及び（ｃ）は、第１の実施形態におけるシリンジを説明する図である。
【００２５】
シリンジ１１００は、ルアーロックタイプの混注ポート及びルアースリップタイプの混注ポートのいずれにも迅速な挿抜が可能であって、薬液１１１０が予め封入されたプレフィルドシリンジである。
このシリンジ１１００は、薬液１１１０が円筒状のシリンジ部１１２０に充填された後、プランジャ部１１５０により封止され、シリンジ部１１２０の一端にロックナット部１１３０が挿設されてなる。
【００２６】
シリンジ部１１２０は、筒状のシリンジ本体部１１２１の一端（以下、「第１端」という。）から筒状の延出部１１４０が延出され、第１端と相反する側の端（以下、「第２端」という。）にフランジ部１１２１ａが配されてなる。
延出部１１４０は、上記第１端に円筒状の第１ルアー部１１４４が接続されており、さらに、当該接続がなされていない第１ルアー部１１４４のもう一方の端から円筒状の第２ルアー部１１４１が延出され、第２ルアー部１１４１の略中央に略筒状のストッパ部１１４３が周設されてなる。
【００２７】
このストッパ部１１４３は、略テーパ形状となっており、より具体的には、第１ルアー部１１４４がある側の径ｄ１よりも第２ルアー部１１４１の先端部がある側の径ｄ１’が細くなっており、さらに、その外周表面には、螺旋溝が刻設されている。
また、第１ルアー部１１４４の外径をｄ２、第２ルアー部１１４１の外径をｄ３とすると、ｄ１＞ｄ２＞ｄ３の関係にある。
【００２８】
ロックナット部１１３０は、混注ポートなどの器具と係合するための軟質の樹脂材料からなる有底円筒状のナットであって、底面の円筒中心に内径ｄ４の貫通穴が設けられている。
そして、この貫通穴に上記延出部１１４０が上記第１端とストッパ部１１４３との間を移動可能な状態で挿嵌されている。
【００２９】
第１ルアー部１１４４、第２ルアー部１１４１及びストッパ部１１４３の位置関係は、ロックナット部１１３０が上記第１端に最も近づいたとき、第２ルアー部１１４１先端（好ましくは、ストッパ部１４３）が露出するように設定されている。
ここで、第２ルアー部１１４１先端またはストッパ部１１４３が露出する位置とは、シリンジ１１００と混注ポート（１２０１または１２１０）とを接続する者が通常の作業姿勢で第２ルアー部１１４１先端またはストッパ部１１４３を目視できる位置のことを意味する。
【００３０】
ｄ４の値は、上記貫通穴と第１ルアー部１１４４及び第２ルアー部１１４１のストッパ部１１４３から根元側とが嵌合したとき、ロックナット部１１３０が自重で落下せず、人の力で容易に移動できる程度の値に設定されており、ロックナット部１１３０が、第１ルアー部１１４４と嵌合している場合と、第２ルアー部１１４１のストッパ部１１４３から根元側と嵌合している場合とでは、第１ルアー部１１４４と嵌合している場合の方が、嵌め合いがきつくなっている。
【００３１】
つまり、ｄ２及びｄ３の値は、ｄ４の値に極めて近い値であって、ｄ４の値よりも僅かに大きい関係にあり、さらに、ｄ４≧ｄ１’の関係にある。
プランジャ部１１５０は、プランジャ本体部１１５１の一端にゴム製のパッキン部１１５２が周設されてなる。
混注ポート１２００は、ルアーロックタイプの混注ポートであって、輸液ラインなどの流路となるポート本体部１２０１の側面において、スリットが設けられたゴム製の弁体１２０４が円筒状のカバー本体部１２０２に内設して挟持され、カバー本体部１２０２の外周にネジ溝部１２０３が刻設されてなる。
【００３２】
図１（ｂ）に示すように、混注ポート１２００にシリンジ１１００を接続する場合、接続を実施する者は、ロックナット部１１３０を第１ルアー部１１４４まで移動させ、第２ルアー部１４１を露出させることにより、第２ルアー部１１４１とその挿入先である弁体１２０４のスリットが目視可能な状態となり、容易に第２ルアー部１１４１を上記スリットに挿入することができる。
【００３３】
このように、第２ルアー部１１４１を上記スリットに挿入した状態で、スリップタイプのシリンジ及び混注ポートとして使用することもできるが、さらに、上記接続の保持力を高めるため、図１（ｃ）に示すように、上記接続を実施する者は、ロックナット部１１３０を第１ルアー部１１４４まで降下させた後、回転させてロックナット部１１３０とネジ溝部１２０３とを螺合させることにより、混注ポート１２００にシリンジ１１００をしっかりと固定することができる。
【００３４】
このとき、ロックナット部１１３０は、嵌め合いが緩くなる第１ルアー部１１４４の位置にまで移動しており、回転自在な状態となっているため、操作者は、片手でも簡単にロックナット部１１３０を回転させて、ネジ溝部１２０３と螺合させることができる。
また、ロックナット部１１３０が、嵌め合いがきつい第１ルアー部１１４４の位置にある場合においても、操作者が片手のみ指を用いて、ロックナット部１１３０を回転及び移動させることができる程度の嵌合状態が維持されており、このことが、医療現場における操作性を向上させている。
【００３５】
また、図２（ａ）及び（ｂ）に示すように、上記ネジ溝部１２０３がないスリップタイプの混注ポート１２１０にシリンジ１１００を接続する場合、接続を実施する者は、ロックナット部１１３０を第１ルアー部１１４４に移動させた状態のまま第２ルアー部１１４１を弁体１２０４のスリットに挿入することにより、目視で確認しながら接続操作することができる。
【００３６】
このとき、図３（ｃ）に示すように、ロックナット部１１３０を第２ルアー部１１４１の上端まで移動させることにより、上記貫通穴と第２ルアー部１４１との嵌め合いが適度にきつく設定されているため、ロックナット部１１３０が位置的に固定される。
さらに、ストッパ部１１４３が露出している状態では、カバー本体部１２０２の外径がロックナット部１１３０の内径よりも大きい場合であっても、カバー本体部１２０２とロックナット部１１３０との距離が離れているため、これらが互いに干渉して上記挿入を妨げることもない。
＜ロックナット部の延出部への挿入方法＞
シリンジ部１１２０にロックナット部１１３０を装着する際、ロックナット部１１３０の貫通孔にシリンジ部１１２０の延出部１１４０が挿入されることとなる。
【００３７】
その場合、図３（ａ）及び（ｂ）に示すように、上記挿入を行う者は、ストッパ部１１４３を乗り越えてロックナット部１１３０を挿入する際、ロックナット部１１３０を押し付けながらストッパ部１１４３の外周に設けられたネジ溝部１２０３に沿って回転させることにより大きな力を要することなく挿入することができる。
以上のように、第１の実施形態のシリンジ１１００は、ロックナット部１１３０が、第２ルアー部１１４１が露出する位置まで移動して、さらに、自重で落下しない程度に保持されるため、従来のルアースリップタイプのシリンジと同様に、ルアースリップタイプの混注ポート１２１０への接続において、接続を行う者は、第２ルアー部１１４１先端を挿入先となる弁体１２０４のスリットに迅速に挿入することができる。
【００３８】
また、ルアーロックタイプの混注ポート１２００への接続においても、ルアースリップタイプの混注ポート１２１０への接続と同様にして、第２ルアー部１４１先端を挿入先となる弁体１２０４のスリットに迅速に挿入した後、ロックナット部１１３０を混注ポート１２００のネジ溝部１２０３に移動させて締めこむことにより、混注ポート１２００とシリンジ１１００とが強固に固定される。
【００３９】
なお、ロックナット部１１３０の延出部１１４０への挿入を容易にするために、図４に示すように、ロックナット部１１３０の貫通穴の周囲にスリットを設け、ロックナット部１１３０がストッパ部１１４３を乗り越え易くしてもよい。
また、第１の実施形態では、ストッパ部１１４３の外周に螺旋溝を設けているが、これはあくまでも一例であって、ストッパ部１１４３に螺旋溝が刻設されていなくてもよい。
（第２の実施形態）
第２の実施形態におけるシリンジ１３００は、第１の実施形態のシリンジ１１００と同様に、ルアーロックタイプの混注ポート及びルアースリップタイプの混注ポートのいずれにも迅速な挿抜が可能であって、薬液１１１０が予め封入されたプレフィルドシリンジである。
【００４０】
図５（ａ）に示すように、シリンジ１３００は、漏斗状のルアー部１３４０が先端に配された円筒状のシリンジ本体部１３２１に薬液１１１０が充填され、プランジャ部１１５０により封止され、さらに、シリンジ本体部１３２１に円筒状のロックナット部１３３０が挿設されてなる。
上記ルアー部１３４０とシリンジ本体部１３２１との境界部には、段差部１３４０ａが存在し、ルアー部１３４０の上記境界部付近には、螺旋溝１３４１が刻設されている。
【００４１】
この螺旋溝１３４１が刻設されている目的は、第１の実施形態のストッパ部１１４３に設けられた螺旋溝と同様に、ロックナット部１３３０のシリンジ本体部１３２１への挿入を容易することにある。
ロックナット部１３３０は、貫通穴が設けられており、この貫通穴の径をｄ５とする。
上記シリンジ本体部１３２１の外周の一部には、外径が他の部位よりも大きな径大部１３２１ｂが存在し、この径大部１３２１ｂの外径をｄ６、他の部位の外径をｄ７とする。
【００４２】
ｄ６の値は、ロックナット部１３３０の貫通穴と径大部１３２１ｂとが嵌合したとき、ロックナット部１１３０が自重で落下せず、人の手の力で容易に移動できる程度の値に設定されている。
つまり、ｄ６の値は、ｄ５の値に極めて近い値であって、ｄ５の値よりも僅かに大きい関係にある。
【００４３】
ロックナット部１３３０は、シリンジ本体部１３２１の全域に渡って移動可能となっており、シリンジ本体部１３２１の両端に存在するフランジ部１３２１ａと段差部１３４０ａとに当たることにより上記移動が抑止される。
図５（ｂ）に示すように、混注ポート１２００にシリンジ１３００を接続する場合、接続を実施する者は、ロックナット部１３３０を径大部１３２１ｂまで移動させることにより、ルアー部１３４０とその挿入先である弁体１２０４のスリットが目視可能な状態となり、容易にルアー部１３４０を上記スリットに挿入することができる。
【００４４】
このように、ルアー部１３４０を上記スリットに単に挿入した状態で、スリップタイプのシリンジ及び混注ポートとして使用することもできるが、さらに、上記接続の保持力を高めるため、図５（ｃ）に示すように、上記接続を実施する者は、ロックナット部１３３０を段差部１３４０ａ付近まで降下させた後、回転させてロックナット部１３３０とネジ溝部２０３とを螺合させることにより、混注ポート１２００にシリンジ１３００をしっかりと固定することができる。
【００４５】
ここにおいて、ロックナット部１３３０も上記実施形態１と同様に、嵌め合いが緩くなるシリンジ本体部１３２１の位置まで移動しており、回転自在な状態となっているため、操作者は、片手でも簡単にロックナット部１３３０を回転させて、ネジ溝部１２０３と螺合させることができる。
また、ロックナット部１３３０が、嵌め合いがきついシリンジ本体部１３２１の位置にある場合においても、操作者が片手のみ指を用いて、ロックナット部１３３０を回転及び移動させることができる程度の嵌合状態が維持されており、このことが、医療現場における操作性を向上させている。
【００４６】
また、図６（ａ）及び（ｂ）に示すように、上記ネジ溝部１２０３がないスリップタイプの混注ポート２１０にシリンジ１３００を接続する場合、接続を実施する者は、ロックナット部１３３０を径大部３２１ｂに移動させた状態のままルアー部１３４０を弁体１２０４のスリットに挿入することにより、上記挿入状況を目視で確認することができる。
さらに、カバー本体部１２０２の外径がロックナット部１３３０の内径よりも大きくなっている場合には、カバー本体部１２０２とロックナット部１３３０との距離が離れているため、これらが互いに干渉して上記挿入を妨げることもない。
【００４７】
以上のように、第２の実施形態のシリンジ１３００は、ロックナット部１３３０が、ルアー部１３４０の先端が露出するフランジ１３２１ａの付近まで移動して、さらに、自重で落下しない程度に保持されるため、従来のルアースリップタイプのシリンジと同様に、ルアースリップタイプの混注ポート１２１０への接続において、接続を行う者は、ルアー部１３４０の先端の挿入先となる弁体１２０４のスリットに迅速に挿入することができる。
【００４８】
ここで、ルアー部１３４０の先端が露出する位置とは、シリンジ１３００と混注ポート（１２０１または１２１０）とを接続する者が通常の作業姿勢でルアー部１３４０の先端を目視できる位置のことを意味する。
また、ルアーロックタイプの混注ポート１２００への接続においても、ルアースリップタイプの混注ポート１２１０への接続と同様にして、ルアー部３４０の先端を挿入先となる弁体１２０４のスリットに迅速に挿入した後、ロックナット部１３３０を混注ポート１２００の段差部１３４０ａ付近まで移動させて、螺合することにより、混注ポート１２００とシリンジ１３００とが強固に固定される。
【００４９】
なお、第２の実施形態では、ルアー部１３４０に螺旋溝１３４１が刻設されているが、これはあくまでも一例であって、ルアー部１３４０に螺旋溝が刻設されていなくてもよい。
また、第１及び第２の実施形態において、シリンジ１１００及び１３００におけるロックナット部１１３０及び１３３０は、混注ポートなどの器具と係合するためのナットであるとしたが、これはあくまでも一例であって、ナットである必要はない。例えば、図７に示すように、ロックナット部に代えて、爪部１１３３ａ、ｂを有するロック部１１３２を用いてもよい。
【００５０】
その場合、シリンジ側のロック機構の変更に伴って、ルアーロックタイプの混注ポートにおける係合部の構造を、例えば、図７に示すようにＬ字の溝１２３１ａを２箇所に有する混注ポート１２２０のようにする必要がある。
（第３の実施形態）
（構成）
図１１（ａ）及び（ｂ）は、第３の実施形態におけるシリンジを説明する図である。
【００５１】
シリンジ２１００は、ルアーロックタイプの混注ポート及びルアースリップタイプの混注ポートのいずれにも迅速な挿抜が可能であって、薬液２１１０が予め封入されたプレフィルドシリンジである。
上記ルアーロックタイプの混注ポートとは、例えば、図１１（ｂ）に示す混注ポート２２００であって、輸液ラインなどの流路となるポート本体部２２０１の側面に設けられた分岐路上おいて、スリット１２０４ａが設けられたゴム製の弁体１２０４が円筒状のカバー本体部１２０２に覆われて挟持され、カバー本体部１２０２の外周にネジ溝部１２０３が刻設されてなる。
【００５２】
また、上述のルアースリップタイプの混注ポートとは、例えば、上記混注ポート２２００において、ネジ溝部１２０３の刻設が省かれたものをいう。
このシリンジ２１００は、図１１（ａ）に示すように、薬液２１１０が円筒状のシリンジ部２１２０に充填された後、プランジャ部２１５０により封止され、シリンジ部２１２０の一端に（接続補助部材の一例としての）ロック部２１３０が回転自在に装着されてなる。
【００５３】
このため、操作者は、片手でも簡単にロック部２１３０を回転させて、ネジ溝部１２０３と螺合させることができる。
シリンジ部２１２０は、筒状のシリンジ本体部２１２１の一端（以下、「第１端」という。）から筒状のルアー部１４０が延出され、第１端と相反する側の端（以下、「第２端」という。）にフランジ部２１２１ａが配されてなる。
【００５４】
ルアー部２１４０は、円筒状であってその根元側に位置する径がｄ１の第１ルアー部２１４４と、先端側に位置するテーパ状の部材であって、その先端部の径ｄ２が小さな径であり、後端部の径ｄ３がルアー部２１４０において最も大きい径となっている第２ルアー部２１４１とからなり、ｄ３＞ｄ２、及び、ｄ３＞ｄ１の関係にある。
ロック部２１３０は、シリンジ２１００とポートなどの接続相手器具との接続を強化する着脱可能なロック機構であり、有底円筒状のロック本体部２１３１に板状のスライドプレート２１３２が挿通されてなる。
【００５５】
ロック本体部２１３１は、その円筒内面にネジ溝が螺刻されており、底面には、径がｄ４の貫通孔２１３４が設けられており、また、上記円筒側面には、開口部形状が矩形の開口部２１３１ａが設けられ、さらにこの開口部２１３１ａにはスライドプレート２１３２が移動可能な状態で挿通されている。
なお、第２ルアー部１４１が貫通孔２１３４を通過できるように、ｄ４の値は、ｄ３の値よりも大きくなっている。
【００５６】
スライドプレート２１３２は、ロック部２１３０とルアー部２１４０とを係合するプレートであり、図１２（ａ）に示すように、その略中央に貫通孔２１３２ａが設けられ、さらに、その先端部には、先端が内側に屈曲して弾性変形する棒状の弾性部２１３２ｂが２つ設けられており、後端部近傍には、表面の一部が隆起している凸部２１３２ｃが設けられている。
（ロック部の装着方法）
図１２（ａ）に示すように、スライドプレート２１３２は、弾性部２１３２ｂの復元力により、貫通孔２１３１ａから抜け出そうとする方向（図の左方向）に力が加わっており、凸部２１３２ｃがロック本体部２１３１の内周面Ａ部に当接することにより静止している。
【００５７】
このとき、断面Ａ−Ａ’において、ロック本体部２１３１の貫通孔２１３４とスライドプレート２１３２の開口部２１３１ａとが重なり合うことにより形成される見かけ上の孔２１３１ｂの大きさは、第２ルアー部２１４１が挿通させることができない程度に小さい。
図１２（ｂ）に示すように、スライドプレート２１３２を指で摘むと、弾性部２１３２ｂが弾性変形してロック本体部２１３１の内側に入りこむ。
【００５８】
このとき、スライドプレート２１３２の貫通孔２１３２ａとロック部２１３０の貫通孔２１３４とが重なり合うことにより形成される孔２１３１ｂの大きさは、図１２（ｃ）に示すように、第２ルアー部２１４１を挿通させることができる大きさとなる。
孔１３１ｂに第２ルアー部１４１を挿入した後、指を離すと、図１２（ｄ）に示すように、弾性部２１３２ｂの復元力により、スライドプレート２１３２が元の位置に戻る。
【００５９】
このとき、径が小さくなっている円筒状の第１ルアー部２１４４が、孔２１３１ｂに嵌まり込み、つまり、スライドプレート２１３２とロック本体部２１３１とで狭持されるため、ロック部２１３０が円周方向に回転自在な状態でシリンジ部２１２０に装着される。
また、上記操作を逆の順序で実行することにより、シリンジ部２１２０からロック部２１３０を脱抜することができる。
【００６０】
ルアーロックタイプの混注ポート２２００にシリンジ１００を接続する場合には、シリンジ部２１２０にロック部１３０を装着することにより、図１１（ｂ）に示すように、従来のルアーロックタイプのシリンジと同様に問題なく接続することができる。
また、図１３に示すようにルアースリップタイプの混注ポート２２１０にシリンジ２１００を接続する場合には、シリンジ部２１２０からロック部２１３０を取り外すことにより、ロック部２１３０が混注ポート２２１０と干渉することがなく、従来のルアースリップタイプのシリンジと同様に問題なく接続することができる。
【００６１】
以上のように、第３の実施形態に記載のシリンジ１００は、スライドプレート２１３２を指で摘んで移動させることにより、ロック部２１３０が簡単に着脱できるため、接続を行う者は、シリンジの接続相手器具のタイプに応じて、ロック部１３０を装着した形態及び解除した形態のいずれにも変更することができる。
なお、第３の実施形態では、スライドプレート２１３２に貫通孔１３２ａが設けられているとしたが、貫通穴でなくともよく、例えば、図１４のスライドプレート２４３２に示すように、貫通孔２１３２ａに代えてＵの字状の切り欠き部２４３２ａであってもよく、その場合、凸部２１３２ｃがある位置に部材が存在しないため、部材が存在する位置に、凸部２４３２ｃを設ける必要がある。この図１４では、スライドプレート２４３２に加わる力をより均等にするように、中心軸を基準として対称位置にある２箇所に凸部２４３２ｃを設けている。
【００６２】
また、第３の実施形態では、ロック部２１３０のロック機構を螺刻されたネジにより実現しているが、ネジでなくてもよく、例えば、爪や突起などのネジの代わりに係合するための構造を有していればよい。
また、第３の実施形態では、ロック部２１３０に貫通孔２１３４及びスライドプレート２１３２が設けられ、ルアー部２１４０に局部的に径が小さくなっている第２ルアー部２１４１が設けられていたが、シリンジ部２１２０とロック部２１３０とを係合するために用いられるこれら部材の配置をロック部２１３０とルアー部２１４０との間で逆転させても、第３の実施形態のシリンジ２１００と同様の効果が奏される。
（第４の実施形態）
（構成）
第４の実施形態におけるシリンジ２５００は、先に述べた第３の実施形態のシリンジ２１００と同様に、ルアーロックタイプの混注ポート及びルアースリップタイプの混注ポートのいずれにも迅速な挿抜が可能であって、シリンジ２１００との相違点は、ロック部の構成が異なっている点にある。
【００６３】
図１５（ａ）に示すように、ロック部２３３０は、シリンジ２５００と接続相手器具との接続を強化する着脱可能なロック機構であり、有底円筒状のロック本体部２３３１に板状のスライドプレート２３３２及びスライドプレート２３４２が挿通されてなる。
ロック本体部２３３１は、その円筒内面にネジ溝が螺刻されており、底面の略中心には、径がｄ５の貫通孔２３３４が設けられており、また、上記円筒側面には、開口部形状が矩形の開口部２３１ａ及び開口部２３３１ｂが設けられている。
【００６４】
開口部２３３１ａ及び開口部２３３１ｂには、それぞれスライドプレート２３３２及びスライドプレート２３４２が摺動可能な状態で挿通されている。
なお、第２ルアー部２１４１が貫通孔２３３４を通過できるように、貫通孔２３３４の径ｄ５の値は、第２ルアー部２１４１の後端部径ｄ３の値よりも大きくなっている。
スライドプレート２３３２及びスライドプレート２３４２は、ロック部２３３０とルアー部２１４０とを係合するプレートであり、図１５（ａ）に示すように、それぞれ略中央部に貫通孔２３３２ａ及び貫通穴２３４２ａが設けられており、各先端部には先端が内側に屈曲して弾性変形する棒状の弾性部２３３２ｂ及び弾性部２３３２ｃが２個づつ設けられており、後端部近傍には、表面の一部が隆起している凸部２３３２ｃ及び凸部２３４２ｃがそれぞれ設けられている。
（ロック部の装着方法）
図１５（ａ）に示すように、スライドプレート２３３２及びスライドプレート２３４２は、弾性部２３３２ｂ及び２３４２ｂの復元力により、それぞれ開口部２３３１ａ及び開口部２３３１ｂから抜け出そうとする方向に力が加わっており、凸部２３３２ｃ及び凸部２３４２ｃがそれぞれロック本体部２３３１の内周面にあるＢ部及びＣ部に当接することにより静止している。
【００６５】
このとき、断面Ｃ−Ｃ’において、スライドプレート２３３２の貫通孔２３３２ａ及びスライドプレート２３４２の貫通孔２３４２ａとが重なり合うことにより形成される孔２３３１ｂの大きさは、第２ルアー部２３４１を挿通させることができない程度に小さい。
図１５（ｂ）に示すように、スライドプレート２３３２とスライドプレート２３４２とを同時に指で摘むと、弾性部２３３２ｂと弾性部２３４２ｂとが弾性変形してスライドプレート２３３２とスライドプレート２３４２とがロック本体部２３３１の内側に入り込む。
【００６６】
このとき、スライドプレート２３３２の貫通孔２３３２ａ及びスライドプレート２３４２の貫通孔２３４２ａとが重なり合うことにより形成される見かけ上の孔２３３１ｂの大きさは、図１５（ｃ）に示すように、第２ルアー部２１４１が挿通させることができる程度の大きさとなる。
孔２３３１ｂに第２ルアー部２１４１を挿入した後、指を離すと、図１５（ｄ）に示すように、弾性部２３３２ｂ及び弾性部２３４２ｂの復元力により元の位置に戻る。
【００６７】
このとき、径が小さくなっている円筒状の第１ルアー部２３４４が、孔２３３１ｂに嵌まり込み、即ち、スライドプレート２３３２及びスライドプレート２３４２とで狭持されるため、ロック部２３３０が円周方向に回転自在な状態でシリンジ部２１２０に装着される。
このような本発明の効果によって、操作者は、片手でも簡単にロック部２３３０を回転させて、ネジ溝部１２０３と螺合させることができる。
【００６８】
また、上記操作を逆の順序で実行することにより、シリンジ部２１２０からロック部２３３０を脱抜することができる。
以上のようにルアーロックタイプの混注ポート２２００にシリンジ２５００を接続する場合には、シリンジ部２１２０にロック部２３３０を装着することにより、従来のルアーロックタイプのシリンジと同様に問題なく強固な接続を行うことができる。
【００６９】
また、ルアースリップタイプの混注ポート２２１０にシリンジ２５００を接続する場合には、シリンジ部２１２０からロック部２３３０を取り外すことにより、ロック部２３３０が混注ポート２２１０と干渉することがなく、従来のルアースリップタイプのシリンジと同様に問題なく接続することができる。
なお、第４の実施形態では、スライドプレート２３３２及びスライドプレート２３４２のそれぞれに貫通孔２３３２ａ及び貫通孔２３４２ａが設けられているとしたが、貫通穴でなくともよく、第３の実施形態においても説明したように、例えば、貫通穴代えてＵの字状の切り欠きを設けてもよい。
【００７０】
また、第４の実施形態では、ロック部２１３０のロック機構を螺刻されたネジにより実現しているが、第３の実施形態においても説明したように、ネジでなくてもよく、例えば、爪や突起などのネジの代わりに係合するための構造を有していればよい。
また、第４の実施形態では、ロック部２３３０にスライドプレート２３３２及びスライドプレート２３４２が設けられ、ルアー部２１４０に局部的に径が小さくなっている第２ルアー部２１４１が設けられていたが、シリンジ部２１２０とロック部２３３０とを係合するために用いられるこれら部材の配置をロック部２３３０とルアー部２１４０との間で逆転させても、第４の実施形態のシリンジ２５００と同様の効果が奏される。
【００７１】
（第５の実施形態）
図１６は、本発明の第５の実施形態におけるロックコネクタ付きシリンジの構成を示す断面図である。ここでは説明上、プランジャ３０４０は断面形状ではなく、通常の側面構成を示している。
図１６に示されるロックコネクタ付きシリンジ３００１の構成は、大きく分けてプレフィルドシリンジ３００２と、接続補助部材としてのロックコネクタ３０２０からなる。
【００７２】
プレフィルドシリンジ３００２は、シリンジ本体３０１０、プランジャ（押し子またはピストンとも称する）４０等から構成される。
シリンジ本体３０１０はポリエチレン、ポリプロピレン、ポリカーボネート、ポリ塩化ビニル等の耐薬性に優れる材料を射出成形してなる筒状体である。その先端側は天面部３１１０で封口されており、当該天面部３１１０の中央部には中空のルアー部３１２０が突設されている。ルアー部３１２０は例えばＩＳＯ６／１００に準じたテーパ状に絞り加工されており、一般的な針基３０２０が容易に装着される。図１６中、ルアー部３１２０先端にはキャップ３０１５が装着されている。
【００７３】
一方、シリンジ本体３０１０の後端側には開口部１２が形成されており、これを取り囲むように一対のフランジ部３０１３Ａ、３０１３Ｂが形成されている。
以下、シリンジ本体３０１０の長手方向に沿った方向を「軸方向」、当該軸方向に対して垂直な方向を「径方向」という。また軸方向において、シリンジ先端側に沿った方向をＸ方向、シリンジ後端に沿った方向をＸ’方向とする。
【００７４】
プランジャ３０４０は、シリンジ本体３０１０と同様に耐薬性に優れる樹脂材料からなり、補強目的に十字断面形状を持つプランジャ本体３０４２の両端に、径方向に主面を有する円盤状の端部が形成された構造を持つ。前記端部の一方は操作者が指で押圧するための押圧端部３０４１であって、他方の端部はシリンジ本体３０１０内部に軸方向に挿入されるヘッド部３０４３である。
【００７５】
ヘッド部３０４３の先端にはエラストマー材料からなるパッキン３０４４が配設されており、このパッキン３０４４がシリンジ本体３０１０の内壁と密に接触するようになっている。図面ではパッキン３０４４の先端は平面になっているが、シリンジ本体３０１１の天面３１１０の内側と密に接触できるように、若干円錐状に形成してもよい。ここで、パッキン３０４４および前記キャップ３０２０によって内部封止されたシリンジ本体３０１０内部には、薬剤３１００が貯留されている。
【００７６】
このような構成のプレフィルドシリンジ３００２では、使用時に操作者は前記キャップ３０２０をはずし、薬剤３１００を吐出できる状態にする。そして操作者が一対のフランジ部３０１３Ａ、３０１３Ｂに指を掛けつつ、プランジャ３０４０の押圧端部を親指等でシリンジ側へ押し込むことによって、その押し込み量に応じてルアー部３１２０先端から薬剤３１００が吐出される。
【００７７】
第５の実施形態のロックコネクタ付きシリンジ３００１では、その特徴として、シリンジ本体３０１０の周面３０１１において軸方向に摺動可能な外套体としてのロックコネクタ３０２０が挿通されている。当該ロックコネクタ３０２０は、医療現場においてシリンジを輸液ラインシステムまたは採血ラインシステム中の固定接続型ポートに接続する接続具などとして用いられるものである。
【００７８】
ロックコネクタ３０２０は、具体的には図１６の断面図に示すように筒状体のコネクタ本体３０２１を有する。
コネクタ本体３０２１は、上記シリンジ本体３０１０とほぼ同様の樹脂材料を筒状に射出成形してなるものである。その先端側内周面３２００Ｂには、外部ポートと螺合可能なネジ部３２０１が形成されている。また、内周面３２００Ｂ中央付近には、コネクタ本体３０２１と別体である鞍形バネ体３０３０Ａ、３０３０Ｂが接合されている。
【００７９】
鞍形バネ体３０３０Ａ、３０３０Ｂは、ポリプロピレンやポリエチレンなど適度な強度および弾性復元力を持つ材料を鞍状に形成してなるものであって、図１６に示すように、その一端側が接合部３０３２Ａ、３０３２Ｂとして、接着剤等によりコネクタ内周面３２００Ｂに対してしっかりと接合されている。一方、鞍形バネ体３０３０Ａ、３０３０Ｂの他端側は内周面３２００Ｂからコネクタ本体３０２１の中心軸方向において浮くように解放されており、これによって上記接合部３０３２Ａ、３０３２Ｂ以外の部分は当該接合部３０３２Ａ、３０３２Ｂを支点としてバネ部３０３１Ａ、３０３１Ｂを構成する。当該鞍形バネ体３０３０Ａ、３０３０Ｂは内周面３２００Ｂにおいてシリンジ軸方向に対し対称的に配設され、バネ部３０３１Ａ、３０３１Ｂの対向面間の最短距離は、シリンジ本体３０１０の外径より小さくなるように設定される。
【００８０】
なお、ここでは一対の鞍形バネ体３０３０Ａ、３０３０Ｂを用いる構成を示しているが、この構成に限定することなく、２個以上の鞍形バネ体を設けてもよいし、またコネクタ本体２０の内径に合わせた筒形のバネ体を内周面３２００Ｂに嵌着させ、この筒形バネ体でシリンジ外周面３０１１に対して環状に接触することによって、シリンジ本体３０１０を挟持するようにしてもよい。また、鞍形バネ体３０３０Ａ、３０３０Ｂはコネクタ本体３０２１と一体に形成してもよい。さらに、鞍形バネ体３０３０Ａ、３０３０Ｂの代わりに帯状の板バネを用いてもよいが、シリンジ本体３０１０との接触面を確保する上で、鞍形バネ体３０３０Ａ、３０３０Ｂのように、シリンジ周面３０１１に合わせて広い面積で接触することのできる曲面を有するバネ体を用いるのが望ましい。
【００８１】
第５の実施形態では以上のように鞍形バネ体３０３０Ａ、３０３０Ｂをコネクタ本体３０２１内部に適宜配置することによって、シリンジ本体３０１０をコネクタ本体３０２１に挿通させれば、一対の鞍形バネ体３０３０Ａ、３０３０Ｂにおけるバネ部３０３１Ａ、３０３１Ｂと間でシリンジ本体３０１０が無理ばめされ、鞍形バネ体３０３０Ａ、３０３０Ｂの弾性復元力により簡単に外れないように挟持されつつ、コネクタ本体３０２１を軸方向（Ｘ−Ｘ’方向）に往復して摺動させることが可能となる。バネ部３０３１Ａ、３０３１Ｂのシリンジ本体３０１０に掛かる上記弾性復元力は、鞍形バネ体３０３０Ａ、３０３０Ｂの材料に硬質のものを用いたり、逆に軟質のものを用いてシリンジ本体３０１０に対する密着度を高めたり、さらにバネ部３０３１Ａ、３０３１Ｂの対向面間の最短距離が小さくなるように、バネ部３０３１Ａ、３０３１Ｂの曲率を設定すること等で調整可能である。
【００８２】
なお、一度コネクタ本体３０２１をシリンジ本体３０１０に挿通させれば、以後これを再び分離させる必要はない。
次に第５の実施形態の特徴として、シリンジ本体３０１０とロックコネクタ３０との効果について説明する。図１７は、輸液ラインシステムの固定接続型ポートに接続したロックコネクタ付きシリンジの構成を示す。図１８は、輸液ラインシステムの直接接続型ポートに接続したロックコネクタ付きシリンジの構成を示す。さらに図１９は、針基に接続したロックコネクタ付きシリンジの構成を示す。
【００８３】
上記図１６に示した構成を有するロックコネクタ付きシリンジ３００１によれば、第一ステップとして、操作者がまずシリンジ本体３０１０を指でホールドしながら、外周面３２００Ａを掴んでコネクタ本体３０２１をシリンジ先端方向（Ｘ方向）に摺動させると、図１６のように、コネクタ本体３０２１の内周面３２００Ｂに形成されたネジ部３２０１を、シリンジ本体３０１０のルアー部３１２０に対応する位置に移動させることができる。
【００８４】
また、この状態を利用して、その後第二ステップとして図１７に示すように上記コネクタ本体３０２１のネジ部３２０１を固定接続型ポート３０２０に螺合させれば、シリンジ本体３０１０をロックコネクタ３０２０内部における鞍形バネ体３０３０Ａ、３０３０Ｂの弾性復元力によってしっかりと挟持させたまま、シリンジ本体３０１０のルアー部３１２０をポートのパッキン３０５２に密に挿入することが可能である。ここで操作者は、シリンジ本体３０１０を片手でホールドした状態から、前記螺合に係る上記操作を迅速に行うことが可能である。したがって、例えば操作者は長期にわたってプレフィルドシリンジ３００２をポート３０５０に接続させておき、高い安定性のもとでプランジャ３０４０をシリンジ本体３０１０内部に適宜押し込み、必要量の薬剤３１００をポート３０５０内部に投与することができる。このときシリンジ本体３０１０は、鞍形バネ体３０３０Ａ、３０３０Ｂによって挟持されているので、多少の力がシリンジ本体３０１０に及んでも、シリンジ本体３０１０がポート３０５０から誤って抜けることはない。
【００８５】
一方、シリンジ本体３０１０とロックコネクタ３０２０は次の操作を行うこともできる。すなわち、操作者がシリンジ本体３０１０を指でホールドしながら、前述とは逆に外周面３２００Ａを掴んでコネクタ本体３０２１をシリンジ後端方向（Ｘ’方向）に摺動させると、図１８のようにコネクタ本体３０２１がシリンジ外周面３０１１上をスライドし、ルアー部３１２０が外部に対して露出された状態となる。
【００８６】
ここで、図２６（ａ）に示す従来例では、上記直接接続型のポートに対してはロックナットが邪魔になり、ルアー部を前記ポートに接続できないという問題があったが、ロックコネクタ３０２０をシリンジ本体３０１０上で邪魔にならないように保持させることができるので、シリンジ本体３０１０のルアー部３１２０を良好に目視確認しながら直接接続型ポート３５００のパッキン３０５２に密に挿入することが可能である。
【００８７】
さらに、このようにルアー部３１２０を外部に対して露出された状態とすることで、図１９に示すように、針基３０６０を装着することもできる。針基３０６０はルアー部３１２０の形状に合わせて形成された樹脂部材からなるソケット部６１が、いわゆる注射針として針管３０６２を保持した構成を有するものである。図２６（ｂ）に示すように、ルアー部においてロックコネクタがセットされたまま外すことのできない従来のシリンジでは、ロックコネクタが邪魔して操作者がルアー部と針基の位置を目視確認するのが困難であり、誤穿刺により操作者が感染菌に触れる危険性があったが、第５の実施形態では、ロックコネクタ３０２０の位置をスライドさせることでルアー部３１２０を容易に目視確認できるので、針基３０６０の装着も簡単に行える。
【００８８】
ここで説明したロックコネクタ付きシリンジ３００１の操作は可逆的に簡単に（慣れれば片手でも）行えるので、これによって容易に、ロックコネクタ３０２０の必要時あるいは不必要時のそれぞれに合わせて、シリンジ本体３０１０に対するロックコネクタ３０２０の位置をスライドさせ、操作性の良い体勢を選んで薬剤３１００を投与することができる。
【００８９】
なお第５の実施形態では、ロックコネクタ内周面３２００Ｂに鞍形バネ体３０３０Ａ、３０３０Ｂを配設する構成を示したが、これとは逆に図２０に示すように、シリンジ本体３０１０に鞍形バネ体３０３０Ａ、３０３０Ｂを配設し、バネ部３０３１Ａ、３０３１Ｂの弾性復元力によって、ロックコネクタ３０２０側を押圧した状態で接する構成にしてもよい。  
【００９０】
（第６の実施形態）
図２１は、輸液ラインシステムの固定接続型ポートに接続したロックコネクタ付きシリンジの構成を示す。図２２は、輸液ラインシステムの直接接続型ポートに接続したロックコネクタ付きシリンジの構成を示す。
第５の実施形態では、鞍形バネ体３０３０Ａ、３０３０Ｂをコネクタ本体３０２１内部に適宜配置し、このバネ体３０３０Ａ、３０３０Ｂの弾性復元力でシリンジ本体３０１０を保持する構成について示したが、第６の実施形態では、上記鞍形バネ体３０３０Ａ、３０３０Ｂの代わりにエラストマーリング３０３５を用いる点が異なっている。これ以外の構成は第５の実施形態と同様である。
【００９１】
すなわち、図２１に示すように、第６の実施形態のコネクタ本体３０２１の内部には、耐摩耗性に優れる柔軟なゴム材料からなるエラストマーリング３０３５が嵌着されている。エラストマーリング３０３５は矩形状（ここでは台形断面形状）を有しており、その外径はコネクタ本体３０２１内径より若干大きく、一方の内径はシリンジ本体３０１０の外径よりも若干小さいように設定されている。エラストマーリング３０３５の外周面は、接合部３７としてコネクタ本体３０２１の内周面３２００Ｂに溶着または接着され、コネクタ本体３０２１から簡単に脱離しないようになっている。
【００９２】
このような構成を有するロックコネクタ３０２０は、シリンジ本体３０１０に対してエラストマーリング３０３５を無理ばめすることにより、軸方向（Ｘ−Ｘ’方向に摺動）に摺動可能に装着される。このとき、シリンジ外周面３０１１とエラストマーリング３０３５の内周面３６との間には一定の摩擦力が発生し、シリンジ本体３０１０はエラストマーリング３０３５が収縮しようとすることで発生する弾性復元力と、前記摩擦力の両方によって挟持される。
【００９３】
これにより使用時には、操作者がシリンジ本体３０１０を指でホールドしながら、外周面３２００Ａを掴んでコネクタ本体３０２１をシリンジ先端方向（Ｘ方向）に摺動させると、図２１のように、コネクタ本体３０２１の内周面３２００Ｂに形成されたネジ部３２０１を、シリンジ本体３０１０のルアー部３１２０に対応する位置にスライドさせることができる。このときの状態の構造を利用して、上記コネクタ本体３０２１のネジ部３２０１を固定接続型ポート３０２０に螺合させれば、シリンジ本体３０１０をロックコネクタ３０２０内部におけるエラストマーリング３０３５の弾性付勢と摩擦力によって保持させたまま、シリンジ本体３０１０のルアー部３１２０をポート内部のパッキン３０５２に密に挿入することが可能である。この螺合に係る操作は、実施の形態５と同様に、操作者がシリンジ本体３０１０を片手でホールドした状態から迅速に行うことが可能である。したがって、第５の実施形態と同様に、操作者はプレフィルドシリンジ３００２をポート３０５０に接続させておき、高い安定性でプランジャ３０４０をシリンジ本体３０１０内部に適宜押し込み、必要量の薬剤３１００をポート３０５０内部に投与することができる。
【００９４】
一方、第６の実施形態では、操作者がシリンジ本体３０１０を指でホールドしながら、前述とは逆に外周面３２００Ａを掴んでコネクタ本体３０２１をシリンジ後端方向（Ｘ’方向）に摺動させると、図２２のようにコネクタ本体３０２１がシリンジ外周面３０１１上をスライドし、ルアー部３１２０が外部に対して露出された形態となる。このときの状態の構造を利用すれば、ロックコネクタ３０２０をシリンジ本体３０１０上で邪魔にならないように保持させることができるので、良好に目視確認しながら、シリンジ本体３０１０のルアー部３１２０をルアー部３１２０を直接接続型ポート３５００のパッキン３０５２に密に挿入することが可能である。
【００９５】
また、この図２２に示したロックコネクタ付きシリンジ３００１の形態を利用すれば、ルアー部３１２０を目視確認することが容易であるため、上記針基３０６０の装着も従来に比べて簡単に行うことができる。
なおエラストマーリング３０３５は、ロックコネクタ３０２０にではなくシリンジ本体３０１０の周面３０１１において固定するようにしてもよい。この場合、エラストマーリング３０３５に対してロックコネクタ内周面３２００Ｂが接触し、摺動する構成となる。
【００９６】
（第７の実施形態）
図２３は、輸液ラインシステムの固定接続型ポートに接続したロックコネクタ付きシリンジの構成を示す。図２４は、シリンジ本体の外観図を示す。さらに図２５は、輸液ラインシステムの直接接続型ポートに接続したロックコネクタ付きシリンジの構成を示す。
第７の実施形態では、まず図２３に示すように、シリンジ本体３０１０の外周面３０１１において、当該シリンジの軸方向に対して対称的に、一対の誘導溝３１３０Ａ、３１３０Ｂが形成されている。そして、この誘導溝３１３０Ａ、３１３０Ｂのそれぞれに嵌合するように、ロックコネクタ３０２０の内周面３２００Ｂにリブ状突起部３２０２Ａ、３２０２Ｂが形成されている。これら以外の構成は第５の実施形態と同様である。
【００９７】
このうちリブ状突起部３２０２Ａ、３２０２Ｂはシリンジ軸方向に沿って配置された主面を持つ直方体状の突起であって、コネクタ本体３０２１と一体に射出成形により形成されている。当該突起部３２０２Ａ、３２０２Ｂのサイズは、その周縁がシリンジ本体の誘導溝３１３０Ａ、３１３０Ｂと適度な摩擦力で嵌合できる大きさ・厚みになるように設計されている。なお、突起部３２０２Ａ、３２０２Ｂの形状はこれに限定するものではなく、誘導溝３１３０Ａ、３１３０Ｂと係合できる形状であればよい。
【００９８】
これに対して誘導溝３１３０Ａ、３１３０Ｂは、図２４に示すように、シリンジ本体３０１０の外周面３０１１を部分的に凹状に加工することによって配設される。誘導溝３１３０Ａ、３１３０Ｂのパターン例としては、シリンジ軸方向に沿った帯状の往復溝３１３１Ａ、３１３１Ｂと、当該往復溝３１３１Ａ、３１３１Ｂのそれぞれに連通するように、シリンジ先端側において、シリンジ径方向に沿って形成された係合溝３１３２Ａ、３１３２Ｂとを有するようにすることができる。往復溝３１３１Ａ、３１３１Ｂの幅は上記突起部３２０２Ａ、３２０２Ｂの厚みより若干狭く、これら両者が互いに組み合わされることで一定以上の摩擦力が生じるようになっている。また、係合溝３１３２Ａ、３１３２Ｂの幅およびサイズは突起部３２０２Ａ、３２０２Ｂより若干小さく設定されており、係合溝３１３２Ａ、３１３２Ｂと突起部３２０２Ａ、３２０２Ｂが相互に適度なクリック感で係合できる。
【００９９】
なお図２４の構成例では、シリンジの先端から見て時計回りにコネクタ本体３０２１を回転させることで、係合溝３１３２Ａ、３１３２Ｂと突起部３２０２Ａ、３２０２Ｂとを係合させることが可能である。また往復溝３１３１Ａ、３１３１Ｂは直線状に限らず、例えば曲線を描くように配設してもよい。
以上の構成を持つ第７の実施形態によれば、誘導溝３１３０Ａ、３１３０Ｂ中を突起部３２０２Ａ、３２０２Ｂが嵌合しながらシリンジ本体３０１０とコネクタ本体３０２１が相対的にスライドすることにより、次の効果が得られる。
【０１００】
すなわち第一に、操作者がシリンジ本体３０１０を指でホールドしながらコネクタ本体３０２１を掴み、これをＸ方向に沿ってシリンジ先端側へ摺動させるようにすれば、図２３のように、コネクタ本体３０２１の内周面３２００Ｂに形成されたネジ部３２０１を、シリンジ本体３０１０のルアー部３１２０に対応する位置にスライドさせることができる。このときの状態の構造を利用して、上記コネクタ本体３０２１のネジ部３２０１を固定接続型ポート３０２０に螺合させれば、シリンジ本体３０１０とロックコネクタ３０２０を、往復溝３１３１Ａ、３１３１Ｂと突起部３２０２Ａ、３２０２Ｂとの間で生じる摩擦力によって保持させ、シリンジ本体３０１０のルアー部３１２０をポートのパッキン３０５２に密に挿入することが可能である。さらに、この状態でロックコネクタ３０２０をシリンジ本体３０１０の周面に沿って、左右いずれかの方向（図２４の例では右時計回り）に向かって捻るように回転させると、突起部３２０２Ａ、３２０２Ｂが係合溝３１３２Ａ、３１３２Ｂに嵌り込み、適度なクリック感でロックコネクタ３０２０およびシリンジ本体３０１０がロックし、ガタツキなく固定される。
【０１０１】
第７の実施形態ではこのようなロック機構を伴う動作によって、プレフィルドシリンジ３００２を高い安定性でポート３０５０に接続させておき、高い安定性でプランジャ３０４０をシリンジ本体３０１０内部に適宜押し込み、必要量の薬剤３１００をポート３０５０内部に投与することができる。
また第二に、第７の実施形態では操作者が前記操作を逆に行うことで、次の効果を得ることができる。
【０１０２】
具体的には、操作者がコネクタ本体３０２１をシリンジ本体３０１０の周面に沿って、左右いずれかの方向（図２４の例では反時計回り）で回転させると、突起部３２０２Ａ、３２０２Ｂが係合溝３１３２Ａ、３１３２Ｂから脱離する。この状態でコネクタ本体３０２１をＸ’方向にスライドさせれば、突起部３２０２Ａ、３２０２Ｂは往復溝３１３１Ａ、３１３１Ｂ中を摺動しながらシリンジ後端側へと移動する。これにより、ルアー部３１２０が外部に対して露出するので、図２５に示すように、ルアー部３１２０の位置を外部から容易に確認しつつ、直接接続型ポート３５００へ接続することができる。また、直接接続型ポート３５００へ接続する他にも、上記針基３０６０を装着することが可能である。
【０１０３】
なお第７の実施形態では、ロックコネクタ３０２０に突起部３２０２Ａ、３２０２Ｂを形成し、シリンジ本体３０１０に誘導溝３１３０Ａ、３１３０Ｂを形成して、ロックコネクタ３０２０をシリンジ本体３０１０に対してスライドさせる構成を開示したが、本発明では逆に、ロックコネクタの内周面に前記往復溝と係合溝を持つ誘導溝を形成し、シリンジ本体の外周面に前記突起部を形成して、当該ロックコネクタとシリンジ本体の両者を組み合わせても同様の効果が奏される。
【０１０４】
（第８の実施形態）
図２７は、第８の実施形態にかかるシリンジ４１００の構成を示す図である。
このシリンジ４１００は、図２７（ａ）に示すように、シリンジ部４１２０と、当該シリンジ部４１２０の先端側に装着可能なロック部４１３０とから構成されており、ロック部４１３０によってシリンジ部４１２０をメステーパ付コネクタ（不図示）に固定接続できるようになっている。
【０１０５】
シリンジ部４１２０は、円筒状であって、その後端側からプランジャ部（不図示）挿入されるようになっている。
また、シリンジ部４１２０の先端側には、メステーパ付コネクタに挿入するテーパ状のルアー部４１２１が形成され、当該先端テーパ部４１２１の根元部分の外周壁面には、ロック部４１３０を係合させるための楔部４１２２及びくびれ部４１２３が、円環状に形成されている。
【０１０６】
一方、ロック部４１３０は、シリンジ部４１２０の先端部分を取り囲む円筒状であって、その先端側部分４１３１には、メステーパ付コネクタの雄ネジ部と螺合できるように、内周面にネジ溝４１３１ａが刻まれている。
また、ロック部４１３０の後端側部分４１３２は、シリンジ部４１２０の先端部分の外径と同程度の内径を有し、その内周面には、上記くびれ部４１２３に嵌り込んで楔部４１２２と係合する係合突起部４１３２ａが形成されている。この係合突起部４１３２ａは、
図２７（ｂ）に示すように、後端側部分４１３２の内周面に沿って、部分的に切り欠かれた円環状に形成され、その内径ｄは、上記楔部４１２２の外径より若干
小さく設定されている。
【０１０７】
このような構成によって、ロック部４１３０をシリンジ部４１２０に装着する際には、ロック部４１３０をシリンジ軸方向に押し込むことによって、係合突起部４１３２ａが、楔部４１２２を乗り越えてくびれ部４１２３に嵌り込み、楔部４１２２と係合する。
なお、図２６（ａ）に示すように、楔部４１２２の外周斜面にネジ溝４１２２ａを形成しておくことが望ましい。ロック部４１３０を回転させて係合突起部４１３２ａをネジ溝４１２２ａに沿わせれば、楔部４１２２を乗り越えやすくなるからである。この場合、ネジ溝４１２２ａは楔部４１２２の先端側斜面の途中までだけに形成し、後端側にはネジ溝を形成しないことが、一旦くびれ部４１２３に嵌り込んだ係合突起部４１３２ａが容易に外れにくい点で望ましい。
【０１０８】
長手方向に対するネジ溝４１２２ａの傾斜向きは、ロック部のネジ溝４１３１ａの傾斜向きとは逆向きにすることが望ましい。ロック部を装着した後、被固定材にシリンジを固定するおりに、ロック部を離脱しにくくするためである。
くびれ部４１２３の幅（シリンジ軸方向の長さ）Ｗは、係合突起部４１２３ａに幅よりも長く設定されている。これによって、シリンジ部４１２０に装着されたロック部４１３０は、係合突起部４１３２ａが楔部４１２２に係合したまま、自由に回転させることができる。
【０１０９】
上記構成により、シリンジ４１００をメステーパ付コネクタに着脱する際に、操作者はロック部４１３０のみを回転させてメステーパ付コネクタの雄ネジ部にねじ込んで装着したり、逆に取り外したりすることができる。
従って、上記の着脱操作を容易に行なうことができ、片手だけ着脱操作することもできる。更に、シリンジ４１００をメステーパ付コネクタから取り外すときに、操作者がメステーパ付コネクタに触れずに、取り外すこともできる。
【０１１０】
そのため、誤って指先に針を刺したり、感染菌に触れるのを防止する効果を奏する。
また、ロック部４１３０をメステーパ付コネクタにねじ込んで装着した状態では、ロック部４１３０によって、シリンジ部４１２０はメステーパ付コネクタにしっかり固定される。
なお、シリンジ部４１２０からロック部４１３０を外した状態で、シリンジ部４１２０をルアースリップタイプのポートなどに使用することができることはいうまでもない。
【産業上の利用可能性】
【０１１１】
本発明は、記録シートの両面に印刷する機能を有する画像形成装置に広く適用することができる。
【符号の説明】
【０１１２】
３００１    シリンジ
３００２    プレフィルドシリンジ
３０１０    シリンジ本体
３０１１    シリンジ外周面
３０１３    フランジ部
３０１５    キャップ
３０２０    キャップ
３０２０    ロックコネクタ
３０２１    コネクタ本体
３０３０    鞍形バネ体
３０３１    バネ部
３０３２    接合部
３０３５    エラストマーリング
３０４０    プランジャ
３０４１    押圧端部
３０４２    プランジャ本体
３０４３    ヘッド部
３０４４    パッキン
３０５０    ポート
３０５２    パッキン
３０６０    針基
３０６２    針管
３１００    薬剤
３１１０    天面部
３１２０    ルアー部
３１３０    誘導溝
３１３１    往復溝
３１３２    係合溝
３２００    コネクタ内周面
３２００Ａ  外周面
３２００Ｂ  内周面
３２０１    ネジ部
３２０２    突起部
３５００    直接接続型ポート
４１００    シリンジ
４１２０    シリンジ部
４１２１    ルアー部
４１２２    楔部
４１２２ａ  ネジ溝
４１２３    くびれ部
４１２３ａ  係合突起部
４１３０    ロック部
４１３１    先端側部分
４１３１ａ  ネジ溝
４１３２    後端側部分
４１３２ａ  係合突起部
【図１】
2009297544.tif 000003
【図２】
2009297544.tif 000004
【図３】
2009297544.tif 000005
【図４】
2009297544.tif 000006
【図５】
2009297544.tif 000007
【図６】
2009297544.tif 000008
【図７】
2009297544.tif 000009
【図８】
2009297544.tif 000010
【図９】
2009297544.tif 000011
【図１０】
2009297544.tif 000012
【図１１】
2009297544.tif 000013
【図１２】
2009297544.tif 000014
【図１３】
2009297544.tif 000015
【図１４】
2009297544.tif 000016
【図１５】
2009297544.tif 000017
【図１６】
2009297544.tif 000018
【図１７】
2009297544.tif 000019
【図１８】
2009297544.tif 000020
【図１９】
2009297544.tif 000021
【図２０】
2009297544.tif 000022
【図２１】
2009297544.tif 000023
【図２２】
2009297544.tif 000024
【図２３】
2009297544.tif 000025
【図２４】
2009297544.tif 000026
【図２５】
2009297544.tif 000027
【図２６】
2009297544.tif 000028
【図２７】
2009297544.tif 000029